(57)【要約】      （修正有）【課題】電子装置又は組立てにより電子装置として機能する複数の電子部品が輸送用に収容される梱包箱、および、梱包箱と収容品とを有する梱包体に関し、輸送時の外形を成す梱包箱を輸送後においても有効に利用する梱包体を提供する。【解決手段】内部に電子装置又は組立てにより電子装置として機能する複数の部品が輸送用に梱包されて輸送時の外形を形成する梱包箱１０であって、輸送時よりも小さい容積の箱体に組み直されて、輸送時に当該梱包箱に梱包されていた電子装置、又は当該梱包箱に梱包されていた複数の部品が組み立てられてなる電子装置を収容し、その電子装置の筐体となる。【選択図】図２
2010137881.tif 000002
【特許請求の範囲】
【請求項１】
電子装置又は組立てにより電子装置として機能する複数の部品が輸送用に梱包されて輸送時の外形を形成する梱包箱であって、
輸送時よりも小さい容積の箱体に組み直されて、輸送時に当該梱包箱に梱包されていた電子装置、又は当該梱包箱に梱包されていた複数の部品が組み立てられてなる電子装置を収容し該電子装置の筐体となることを特徴とする梱包箱。
【請求項２】
前記筐体を構成する複数の壁部のうちの少なくとも一部の壁部が、折り重ねられた複数枚の板部からなることを特徴とする請求項１記載の梱包箱。
【請求項３】
前記筐体の少なくとも一部の外壁面が、輸送時の梱包箱に外壁面としてあらわれている面以外の面からなることを特徴とする請求項１又は２記載の梱包箱。
【請求項４】
当該梱包箱は、輸送時に、組立てにより電子装置として機能する複数の部品が梱包される梱包箱であって、
輸送時の当該梱包箱の外壁面又は前記筐体へと組み直される途中における外壁面が部品取付用の壁面として利用され、前記筐体は、前記外壁面の、部品が取り付けられた部分が折り曲げにより内部に収容されていることを特徴とする請求項１から３のうちいずれか１項記載の梱包箱。
【請求項５】
請求項１から４のうちのいずれか１項記載の梱包箱と、
前記梱包箱に収容された、電子装置又は組立てにより電子装置として機能する複数の部品とを有することを特徴とする梱包体。
【発明の詳細な説明】
【技術分野】
【０００１】
本件は、電子装置又は組立てにより電子装置として機能する複数の電子部品が輸送用に収容される梱包箱、および、その梱包箱とその梱包箱の収容品とを有する梱包体に関する。
【背景技術】
【０００２】
従来より電子装置や、組立てにより電子装置として機能する複数の部品（以下、「組立キット」と称する）の輸送にはダンボール箱等の梱包箱が多用されている。その輸送用の梱包箱はユーザの手元に届いた後は不用となるのが一般的である。このような流通システムでは資源の無駄使いとなる。
【０００３】
これを改善することを目的として、ハードディスク装置を輸送用のダンボール製の梱包箱に入れ、ユーザの手元に届くとその梱包箱をそのハードディスク装置の筐体として利用することが提案されている。この梱包箱を筐体として利用するにあたっては、輸送用の梱包箱に開口を形成したりその開口を覆っていた部分を内側に折り曲げて緩衝部として利用している。ただし、この梱包箱の外形寸法は輸送時の梱包箱の外形寸法と同一である。
【０００４】
また、梱包箱に穴を開けてその梱包箱に収容されている電子機器を梱包した状態のまま仕様変更を行なえるようにすることが提案されており、さらに、梱包箱の外壁面に説明書を印刷することが提案されている。
【特許文献１】特開２００７−３２０６３８号公報
【特許文献２】特開２００６−８１９１号公報
【特許文献３】特開２００５−５３５４４号公報
【発明の開示】
【発明が解決しようとする課題】
【０００５】
電子装置又は組立キットを梱包箱に入れて輸送するにあたっては、輸送時の振動や落下等の衝撃から内容物を守るために、電子装置や組立キットの周囲に厚い発泡スチロール等の緩衝材を配置するのが普通である。あるいは、内部に複数の部品が収容される場合は、個々の部品を緩衝材で包み、それぞれ緩衝材で包んだ複数の部品を梱包箱に収容することによって、輸送時の振動や衝撃に対し万全が期されている。さらに、梱包箱には、取扱説明書等、電子機器本体又は組立キット以外の物も同梱される。このようなことから、輸送のための梱包箱はそこに収容された電子機器又は組立キットの総容積と比べ極めて大きな容積を持っているのが普通である。したがってその輸送時の梱包箱をそこに収容されている電子機器、又は組立キットが組立てられてなる電子機器の筐体とするには寸法が大き過ぎて無理がある。
【０００６】
したがって、従来の梱包箱をそのまま筐体として利用するという提案における梱包箱は、輸送時に外形をなす梱包箱ではなく、電子機器又は部品をその梱包箱の中に複数収容する場合の個々の電子機器又は部品を包む緩衝材としての梱包箱のことと思われる。この場合、輸送時に全体を収容して外形を形成する梱包箱は輸送後にはやはり無駄となる。あるいは、その無駄に加えさらに、電子機器を、その電子機器の筐体として兼用できる個装箱にわざわざ入れてから、梱包箱に入れる必要を生じるおそれもある。
【０００７】
本件開示の梱包箱および梱包体は、輸送時の外形を成す梱包箱を輸送後においても有効利用することにある。
【課題を解決するための手段】
【０００８】
本件開示の梱包箱は、電子装置又は組立てにより電子装置として機能する複数の部品が輸送用に梱包されて輸送時の外形を形成する梱包箱であって、輸送時よりも小さい容積の箱体に組み直されて、輸送時に当該梱包箱に梱包されていた電子装置、又は当該梱包箱に梱包されていた複数の部品が組み立てられてなる電子装置を収容し該電子装置の筐体となる梱包箱である。
【０００９】
また、本件開示の梱包体は、本件開示の梱包箱と、その梱包箱に収容された、電子装置又は組立てにより電子装置として機能する複数の部品とを有する梱包体である。
【発明の効果】
【００１０】
本件によれば、輸送時の梱包箱が、その梱包箱に収容されていた電子機器又はその梱包箱に収容されていた組立キットが組立てられてなる電子機器の筐体として有効利用され、無駄が軽減される。
【発明を実施するための最良の形態】
【００１１】
以下本件の実施形態について説明する。
【００１２】
図１は、第１実施形態としての梱包箱の展開図である。
【００１３】
この梱包箱は、ダンボール材からなる一枚の板材で形成されている。ただし一部、後述する部品のネジ止め用の穴１１が形成された部分については、ネジ穴が形成された金属板で裏打ちされている。また、ここに示す例では、筐体として組み直された後に必要となる、内蔵の電子機器をアクセスするための開口１２もあらかじめ形成されている。ただし、ネジ止め用の穴１１や開口１２は、輸送時の梱包箱の形態では外面にはあらわれない。この図１においてラインａは山折り用のライン、ラインｂは切断のためのミシン目からなる切断線、ラインｃは谷折り用のライン、ラインｄは山折り用のラインである。ａとｂとの双方が記載されているラインは山折りに折られ後で切断されることを表わしており、ａとｃとの双方が記載されているラインは、当初は山折りに折られ後で谷折りに折られることを表わしている。
【００１４】
ダンボール材がこの図１に示す形状の板材に加工された後、図１にラインａが山折りされて第１の箱体が形成される。この第１の箱体が輸送時の梱包箱となる。
【００１５】
図２は、図１に示す梱包箱の利用方法を示すフロー図である。
【００１６】
また、図３〜図１４は、図２のフロー図の各ステップの説明図である。
【００１７】
ここでは、梱包箱には、組立てにより電子機器（ここではパーソナルコンピュータ（以下「ＰＣ」と略記する））として機能する複数の部品（組立キット）が梱包される。
【００１８】
先ず、ユーザがＰＣをインターネットや電話で注文する（図２ステップＳ０１、図３）。ここでは、自分に必要なものだけ、例えばＤＶＤドライブの有無、ＨＤＤの容量、アクセサリの有無、などを決める。
【００１９】
すると、図１に示す構造の梱包箱１０にＰＣの組立キットが梱包された状態でそのユーザのもとに配送される（図２ステップＳ０２、図４）。
【００２０】
次に、図１に示す切断線ｂに沿って側面（三面）のダンボールをはがし（図２ステップＳ０３、図５）、図６に示す状態にする（図２ステップＳ０４、図６）。
【００２１】
この状態でネジ止め用の穴１１や内部の電子機器をアクセスするための開口１２が外面にあらわれる。また、この状態の外壁面には、組立キットを組み立てるための説明文やイラスト等の印刷１３があらわれる。尚、図１ではこの印刷１３は図示省略されている。この段階における外壁面のうち、印刷１３が施された部分は、後の折り曲げにより内部に収容される面である。
【００２２】
次に、梱包箱の中から部品（ＨＤＤ、ドライブ類など）を取り出す（図２ステップＳ０５、図７）。各部品は緩衝材で梱包されている。
【００２３】
次に外壁面の印刷１３に記載されている手順に従い、マザーボード、ドライブ類などの各部品を箱に取り付けていく（図２ステップＳ０６、図８）。尚、上述したように、ネジ止め用の穴１１は、ネジ穴が形成された金属板で裏打ちされている。
【００２４】
部品の取り付けが終わると（図２ステップＳ０７、図９）、箱の半分を、図１に示すラインｃに沿って図１０に示す矢印方向に折り込む（図２ステップＳ０８、図１０）。これにより、この実施形態では、４面の側面のうちの３面について２枚の板が重ねられた状態となり、筐体としての強度向上や耐衝撃性向上が図られている。尚、本実施形態では、輸送時には外壁面としてあらわれていない、筐体へと組み直される途中で外壁面としてあらわれる面であって、折り曲げにより内部に収容される面に、説明文等の印刷１３が施されているが、最終的に折り曲げにより内部に収容される面であれば、輸送時の梱包箱の外壁面に説明文等の印刷が施されていてもよい。
【００２５】
また、本実施形態では、輸送時の状態の梱包箱から筐体へと組み直される途中における外壁面が部品取付用の壁面として利用され、組立ての容易性を向上させている。部品が取り付けられた外壁面は、折り曲げにより、そこに取り付けられた部品とともに筐体内部に収容される。
【００２６】
尚、最終的に折り曲げにより内部に収容される面であれば輸送時の状態の梱包箱外壁面を部品取付面として利用してもよい。
【００２７】
さらに、電源やＨＤＤ（ハードディスクドライブ）などのパーツを追加で取り付けて（図２ステップＳ０９、図１１）、パーツ同士を結線する（図２ステップＳ１０、図１２）。この段階における底面内側には、結線方法についての説明文やイラストからなる印刷１４が施されており、結線にあたっては、この説明文通りに進める。
【００２８】
次に、図１に示すラインｄに沿って箱の上下の部分で折り曲げて箱を閉じると（図２ステップＳ１１、図１３）、内部にＰＣが組み込まれた筐体２０が完成する（図２ステップＳ１２、図１４）。この完成した筐体２０の４面の側面のうちの３面は、輸送時の梱包箱に外壁面としてあらわれていた面以外の面からなる。したがって少なくともそれらの３面は、輸送時の汚れとは無関係のきれいな面であり、輸送時の汚れにより汚れた筐体となってしまう可能性が低減される。
【００２９】
尚、ここではダンボール材からなる梱包箱について説明したが、ダンボール材以外の材料、例えば樹脂等からなる梱包箱であってもよい。
【００３０】
次に第２実施形態の梱包箱について説明する。
【００３１】
図１５は、第２実施形態の梱包箱の展開図である。
【００３２】
この図１５に示す板材はダンボール材からなり、ラインａに沿って山折りとし、ラインｂに沿って谷折りとすることにより輸送時の梱包箱となる。ラインｃは、梱包箱を筐体として組み直す際に切り取られる切断線である。
【００３３】
図１６は、第２実施形態の梱包箱における筐体として組み直す際の切取り部分をハッチングで示した図である。また、図１７は、切取り部分を切り取った後の筐体の展開図である。図１７において、ラインａは、ラインｂは、を組み立てるときの、それぞれ山折り、谷折りのラインである。
【００３４】
輸送時の梱包箱を図１５に示すように一旦展開し、切断線ｃに沿って図１６にハッチングで示す部分を切り取って図１７に示す形状の板材とする。その後、この図１７に示すラインａに沿って山折り、ラインｂに沿って谷折りとすることにより、電子装置の筐体が完成する。
【００３５】
図１８は、組立後の筐体を示す斜視図である。また、図１９は、組立後の筐体の一部を開いて示す斜視図、図２０は、さらに一部を開いて示す斜視図である。
【００３６】
図２０から分かるように、前面を除く他の５面はダンボール材が２重に重ねられ、また前面はその大部分が２重に重ねられ、強度アップが図られている。
【００３７】
この図１８〜図２０に示す筐体には、完成品としての電子機器がそのまま収容される。
【００３８】
以上、ここでは第１実施形態と第２実施形態の２例を示したが、本件の梱包箱はこれらの２例に限られるものではなく、輸送時よりも小さい容積の箱体に組み直されて電子機器の筐体として利用される形状のものであればよい。
【００３９】
また、梱包箱に収容されて輸送され筐体に収容される電子機器はＰＣに限られるものではなく、本件は一般の電子機器に広く適用可能なものである。
【００４０】
さらに、本件の梱包箱は輸送時に完成品としての電子機器が収容されて輸送されるものであってもよく、組立キットが収容されて輸送されるものであってもよい。
【００４１】
以下本件の各種形態を付記する。
【００４２】
（付記１）
電子装置又は組立てにより電子装置として機能する複数の部品が輸送用に梱包されて輸送時の外形を形成する梱包箱であって、
輸送時よりも小さい容積の箱体に組み直されて、輸送時に当該梱包箱に梱包されていた電子装置、又は当該梱包箱に梱包されていた複数の部品が組み立てられてなる電子装置を収容し該電子装置の筐体となることを特徴とする梱包箱。
【００４３】
（付記２）
当該梱包箱が一枚の板材の折り曲げにより形成された箱体であることを特徴とする付記１記載の梱包箱。
【００４４】
（付記３）
前記筐体を構成する複数の壁部のうちの少なくとも一部の壁部が、折り重ねられた複数枚の板部からなることを特徴とする付記１又は２記載の梱包箱。
【００４５】
（付記４）
前記筐体の少なくとも一部の外壁面が、輸送時の梱包箱に外壁面としてあらわれている面以外の面からなることを特徴とする付記１から３のうちいずれか１項記載の梱包箱。
【００４６】
（付記５）
当該梱包箱は、輸送時に、組立てにより電子装置として機能する複数の部品が梱包される梱包箱であって、
輸送時の当該梱包箱の外壁面又は前記筐体へと組み直される途中における外壁面が部品取付用の壁面として利用され、前記筐体は、前記外壁面の、部品が取り付けられた部分が折り曲げにより内部に収容されていることを特徴とする付記１から４のうちいずれか１項記載の梱包箱。
【００４７】
（付記６）
輸送時の当該梱包箱の外壁面又は前記筐体へと組み直される途中の外壁面であって折り曲げにより内部に収容される面に説明文又は説明用のイラストが記載されていることを特徴とする付記１から５のうちいずれか１項記載の梱包箱。
【００４８】
（付記７）
前記筐体が、該筐体に内蔵された電子機器を操作するための開口を有することを特徴とする付記１から６のうちいずれか１項記載の梱包箱。
【００４９】
（付記８）
当該梱包箱がダンボール箱であることを特徴とする付記１から７のうちいずれか１項記載の梱包箱。
【００５０】
（付記９）
付記１から８のうちのいずれか１項記載の梱包箱と、
前記梱包箱に収容された、電子装置又は組立てにより電子装置として機能する複数の部品とを有することを特徴とする梱包体。
【図面の簡単な説明】
【００５１】
【図１】第１実施形態としての梱包箱の展開図である。
【図２】図１に示す梱包箱の利用方法を示すフロー図である。
【図３】図２のフロー図のステップＳ０１の説明図である。
【図４】図２のフロー図のステップＳ０２の説明図である。
【図５】図２のフロー図のステップＳ０３の説明図である。
【図６】図２のフロー図のステップＳ０４の説明図である。
【図７】図２のフロー図のステップＳ０５の説明図である。
【図８】図２のフロー図のステップＳ０６の説明図である。
【図９】図２のフロー図のステップＳ０７の説明図である。
【図１０】図２のフロー図のステップＳ０８の説明図である。
【図１１】図２のフロー図のステップＳ０９の説明図である。
【図１２】図２のフロー図のステップＳ１０の説明図である。
【図１３】図２のフロー図のステップＳ１１の説明図である。
【図１４】図２のフロー図のステップＳ１２の説明図である。
【図１５】第２実施形態の梱包箱の展開図である。
【図１６】第２実施形態の梱包箱における筐体として組み直す際の切取り部分をハッチングで示した図である。
【図１７】切取り部分を切り取った後の筐体の展開図である。
【図１８】組立後の筐体を示す斜視図である。
【図１９】組立後の筐体の一部を開いて示す斜視図である。
【図２０】さらに一部を開いて示す斜視図である。
【符号の説明】
【００５２】
１０    梱包箱
１１    ネジ止め用の穴
１２    開口
１３，１４    印刷
２０    筐体
【図１】
2010137881.tif 000003
【図２】
2010137881.tif 000004
【図３】
2010137881.tif 000005
【図４】
2010137881.tif 000006
【図５】
2010137881.tif 000007
【図６】
2010137881.tif 000008
【図７】
2010137881.tif 000009
【図８】
2010137881.tif 000010
【図９】
2010137881.tif 000011
【図１０】
2010137881.tif 000012
【図１１】
2010137881.tif 000013
【図１２】
2010137881.tif 000014
【図１３】
2010137881.tif 000015
【図１４】
2010137881.tif 000016
【図１５】
2010137881.tif 000017
【図１６】
2010137881.tif 000018
【図１７】
2010137881.tif 000019
【図１８】
2010137881.tif 000020
【図１９】
2010137881.tif 000021
【図２０】
2010137881.tif 000022